(57)【要約】【課題】  浴槽の壁面を構成する扉の剛性を確保しつつ、成形形状の自由度を高め、コストを抑えることが可能な扉を有する入浴装置を提供することにある。【解決手段】  扉が、所定の厚みを有する中空の板材で、一方の面である内側面が浴槽の内壁の一部を形成する浴槽側面部材と、横臥する骨材からなり、浴槽側面部材の他方の面である外側面を保持する骨構造部材とを備え、浴槽側面部材の内側面が略平面であって、浴槽側面部材の外側面に、内側面に向かって外側面自体が突出して湾曲すると共に内側面に当接する凸状押圧部を有することを特徴とする。【選択図】図２
2018000306.tif 000002
【特許請求の範囲】
【請求項１】
浴槽本体の壁面が、片持ち支持された扉で開閉自在である入浴装置において、
該扉が、
所定の厚みを有する中空の板材で、一方の面である内側面が浴槽の内壁の一部を形成する浴槽側面部材と、
横臥する骨材からなり、該浴槽側面部材の他方の面である外側面を保持する骨構造部材とを備え、
該浴槽側面部材の該内側面が略平面であって、
該浴槽側面部材の該外側面に、該内側面に向かって該外側面自体が突出して湾曲すると共に該内側面に当接する凸状押圧部を有することを特徴とする入浴装置。
【請求項２】
前記浴槽側面部材の前記外側面の前記凸状押圧部が、該浴槽側面部材の前記内側面の前記浴槽内の湯水が接する領域に当接するように、所定間隔で複数設けられていることを特徴とする請求項１記載の入浴装置。
【請求項３】
前記浴槽側面部材の前記外側面の前記凸状押圧部が、該浴槽側面部材の前記内側面の前記浴槽内の湯水が接する領域の辺縁部に当接するよう溝状に伸びて設けられていることを特徴とする請求項１記載の入浴装置。
【請求項４】
前記骨構造部材が、枠構造であることを特徴とする請求項１〜請求項３のいずれかに記載の入浴装置。
【請求項５】
前記骨構造部材が、前記浴槽側面部材の前記外側面の全面又は一部領域に当接する面部材を有することを特徴とする請求項１〜請求項４のいずれかに記載の入浴装置。
【請求項６】
前記扉又は及び前記浴槽本体に、該扉を、前記浴槽本体の前記壁面に、仮に閉じた状態で保持するための仮保持部材を備えることを特徴とする請求項１〜請求項５のいずれかに記載の入浴装置。
【請求項７】
前記仮保持部材が磁石であることを特徴とする請求項６記載の入浴装置。
【発明の詳細な説明】
【技術分野】
【０００１】
本発明は、浴槽本体の壁面が、片持ち支持された扉で開閉自在である入浴装置に関する。
【背景技術】
【０００２】
従来より、介護浴槽等の浴槽の壁面が開閉可能なものが提案されている。例えば、特許文献１の浴槽は、浴槽の側壁に開口部を設け、開口部に開閉自在な扉を設けたものである。そして、扉は浴槽本体と同質のＦＰＲ製で一枚板状に形成され、その縦辺の一側端に円筒形状の回転部が一体形成されている。この回転部の下端には、突起が設けられ、この突起を先ず浴槽本体の回転部収容凹所の底に設けた凹部に嵌合させた後、回転部の上端に穿設された軸挿入孔に固定プレートの軸棒を挿入させた状態で固定するものである。
【先行技術文献】
【特許文献】
【０００３】
【特許文献１】特開平９−６６０８９号公報
【発明の概要】
【発明が解決しようとする課題】
【０００４】
しかしながら、従来の扉をＦＲＰ製にすることで、強度を確保することは可能であるが、成形形状の自由度を得ることが困難で、また、材料費や加工の手間によりコストを抑えることが困難だという問題がある。扉を合成樹脂製にすることも可能であるが、一枚板のような単純な構造では、歪みなどが生じやすく、扉は浴槽の壁面を構成しており相応の剛性を有さないと湯水の漏れにつながってしまうという問題がある。
【０００５】
本発明は、このような事情に鑑みてなされたもので、浴槽の壁面を構成する扉の剛性を確保しつつ、成形形状の自由度を高め、コストを抑えることが可能な扉を有する入浴装置を提供することにある。
【課題を解決するための手段】
【０００６】
請求項１記載の入浴装置は、扉が、所定の厚みを有する中空の板材で、一方の面である内側面が浴槽の内壁の一部を形成する浴槽側面部材と、横臥する骨材からなり、浴槽側面部材の他方の面である外側面を保持する骨構造部材とを備え、浴槽側面部材の内側面が略平面であって、浴槽側面部材の外側面に、内側面に向かって外側面自体が突出して湾曲すると共に内側面に当接する凸状押圧部を有することを特徴とする。
【０００７】
請求項２記載の入浴装置は、浴槽側面部材の外側面の凸状押圧部が、浴槽側面部材の内側面の浴槽内の湯水が接する領域に当接するように、所定間隔で複数設けられていることを特徴とする。
【０００８】
請求項３記載の入浴装置は、浴槽側面部材の外側面の凸状押圧部が、浴槽側面部材の内側面の浴槽内の湯水が接する領域の辺縁部に当接するよう溝状に伸びて設けられていることを特徴とする。
【０００９】
請求項４記載の入浴装置は、骨構造部材が、枠構造であることを特徴とする。
【００１０】
請求項５記載の入浴装置は、骨構造部材が、浴槽側面部材の外側面の全面又は一部領域に当接する面部材を有することを特徴とする。
【００１１】
請求項６記載の入浴装置は、扉又は及び浴槽本体に、扉を、浴槽本体の壁面に、仮に閉じた状態で保持するための仮保持部材を備えることを特徴とする。
【００１２】
請求項７記載の入浴装置は、仮保持部材が磁石であることを特徴とする。
【発明の効果】
【００１３】
本願の発明によれば、扉が、所定の厚みを有する中空の板材で、一方の面である内側面が浴槽の内壁の一部を形成する浴槽側面部材と、横臥する骨材からなり、浴槽側面部材の他方の面である外側面を保持する骨構造部材とを備え、浴槽側面部材の内側面が略平面であって、浴槽側面部材の外側面に、内側面に向かって外側面自体が突出して湾曲すると共に内側面に当接する凸状押圧部を有することから、浴槽の壁面を構成する扉の剛性を確保しつつ、成形形状の自由度を高め、コストを抑えることが可能な扉を有する入浴装置を提供することができる。
【図面の簡単な説明】
【００１４】
【図１】本発明に係る入浴装置に一例を示す斜視図である。
【図２】同入浴装置の扉カバーを外した状態を示す説明図である。
【図３】同入浴装置の扉カバー及び骨構造部材を外した状態を示す説明図である。
【図４】図３（ｂ）のＡ−Ａ’矢視端面の一部を示す説明図である。
【図５】図３（ｂ）のＢ−Ｂ’矢視端面の一部を示す説明図である。
【図６】同入浴装置の仮保持部材の一例を示す説明図である。
【発明を実施するための形態】
【００１５】
以下、本発明の形態について図面を参照しながら具体的に説明する。図１は、本発明に係る入浴装置に一例を示す斜視図である。図２は、同入浴装置の扉カバーを外した状態を示す説明図である。図３は、同入浴装置の扉カバー及び骨構造部材を外した状態を示す説明図である。図４は、図３（ｂ）のＡ−Ａ’矢視端面の一部を示す説明図である。図５は、図３（ｂ）のＢ−Ｂ’矢視端面の一部を示す説明図である。図６は、同入浴装置の仮保持部材の一例を示す説明図である。
【００１６】
本発明に係る入浴装置１は、浴槽本体１０の壁面１４が、片持ち支持された扉２０で開閉自在なもので、入浴者は、この扉２０を開閉して浴槽１２に出入りし入浴する。入浴装置１は、浴槽部１０に形成された浴槽１２の正面側の壁が開口し、その開口を、蝶番１６を介して開閉自在に設けられた扉２０で塞いで、貯湯された浴槽１２に入浴可能にしているものである。そして、浴槽本体１０の浴槽１２側の壁面１４と、扉２０側の裏面である内側面５０ｂとを密着させる。尚、扉２０の内側面５０ｂの壁面１４に密着する部分には、略棒状の弾性部材であるパッキン部材２４が、板状の固定部材２６により固定されており、このパッキン部材２４により、浴槽１２の水密が保たれるようになっている。
【００１７】
扉２０は、浴槽側面部材５０、骨構造部材３０及び扉カバー２２等で、構成されている。浴槽側面部材５０は、所定の厚みを有する中空の板材で、一方の面である内側面５０ｂが、略平面で、浴槽１２の内壁の一部を形成するものである。この浴槽側面部材５０は、従来であればＦＲＰ等の薄板状でも強度が確保できる素材を用いるところであるが、本件では、合成樹脂を比較的薄く（例えば、約５ｍｍ程度）、ブロー成形等で中空状に成形し、外見上、全体として一枚の厚板に見えるように成形したものである。尚、本願中で、扉２０の浴槽側面部材５０は、所定の厚みを有する中空の板材であるとしているが、完全に中空な形状に限らず、例えば、ウレタン等が充填されているが構造的に中空に近いものも、本願でいうところの中空に含まれるものである。
【００１８】
浴槽側面部材５０の内側面５０ｂと対向する逆の面である外側面５０ａは、内側面５０ｂに向かって外側面５０ａ自体が突出して湾曲すると共に内側面５０ｂに当接する凸状押圧部５２，５４を有している（図４及び図５参照）。凸状押圧部５２は、内側面５０ｂの浴槽１２内の湯水が接する領域に当接するように、所定間隔で複数設けられている。より具体的には、凸状押圧部５２は、図３（ａ）及び（ｂ）に示すように、円形で、千鳥状に複数配置されている。凸状押圧部５２の数が多い方が、好ましいが、扉２０の重さ等を考慮して数は適宜定めるようにすればよい。
【００１９】
また、凸状押圧部５４（５４ａ，５４ｂ，５４ｃ，５４ｄ）は、内側面５０ｂの浴槽１２内の湯水が接する領域の辺縁部に当接するよう溝状に伸びて設けられている。
【００２０】
骨構造部材３０は、横臥する骨材３２，３４，３６，３８からなり、浴槽側面部材５０の外側面５０ａを保持するものである。骨構造部材３０は、縦方向にも骨材４０を有し、また、周囲を枠材４２，４４，４６で囲み、全体として枠構造を有している。さらに、骨構造部材３０は、浴槽側面部材５０の外側面５０ａの全面又は一部領域に当接する面部材４８を有している。
【００２１】
以上のような扉２０の構造により、浴槽１２の壁面を構成する扉２０の剛性を確保しつつ、成形形状の自由度を高め、コストを抑えることが可能な扉２０を有する入浴装置１を提供することができる。
【００２２】
また、浴槽側面部材５０の外側面５０ａの凸状押圧部５２が、浴槽側面部材５０の内側面５０ｂの浴槽１２内の湯水が接する領域に当接するように、所定間隔で複数設けられていることから、内側面５０ｂが浴槽１２内の湯水の圧力を受けても、複数ある個々の凸状押圧部５２が、内側面５０ｂを支えることになり、扉２０の剛性を確保し、扉２０の歪みを抑え、湯水の漏れが起きないようにすることができる。
【００２３】
さらに、浴槽側面部材５０の外側面５０ａの凸状押圧部５４（５４ａ，５４ｂ，５４ｃ，５４ｄ）が、浴槽側面部材５０の内側面５０ｂの浴槽１２内の湯水が接する領域の辺縁部に当接するよう溝状に伸びて設けられていることから、扉２０の浴槽１２の湯水の漏れやすい部分の剛性を確保し、扉２０の歪みを抑え、湯水の漏れが起きないようにすることができる。
【００２４】
さらに、骨構造部材３０が、枠構造であったり、骨構造部材３０が浴槽側面部材５０の外側面５０ａの全面又は一部領域に当接する面部材４８を有することで、湯水に接する浴槽側面部材５０を枠構造や面で支え、扉２０全体の剛性を確保し、扉２０の歪みを抑え、湯水の漏れが起きないようにすることができる。
【００２５】
尚、本願の入浴装置１には、浴槽本体１０の壁面１４に、扉２０を仮に閉じた状態で保持するための仮保持部材を備えている。この仮保持部材は、扉２０や浴槽本体１０のいずれか一方又は双方に設けるようにするが、本実施例では、図６（ａ）（ｂ）に示すように、仮保持部材として、磁石６０及び磁石６２を、扉２０の浴槽側面部材５０の内側面５０ｂ及び浴槽本体１０の壁面１４に設けている。仮保持部材は、あくまでも、扉２０を仮に閉じた状態で保持するためのもので、一旦、扉２０を壁面１４に近接させ、その上で、図示しないロック機構で、扉２０を壁面１４に密接するように保持させるようにするもので、磁石に限らず、そのような機能を有する構造であればよい。
【産業上の利用可能性】
【００２６】
以上のように、本発明によれば、浴槽の壁面を構成する扉の剛性を確保しつつ、成形形状の自由度を高め、コストを抑えることが可能な扉を有する入浴装置を提供することができる。
【符号の説明】
【００２７】
１・・・・・入浴装置
１０・・・・浴槽本体
１２・・・・浴槽
１４・・・・壁面
１６・・・・蝶番
２０・・・・扉
２２・・・・扉カバー
２４・・・・パッキン部材
２６・・・・固定部材
３０・・・・骨構造部材
３２・・・・骨材
３４・・・・骨材
３６・・・・骨材
３８・・・・骨材
４０・・・・骨材
４２・・・・枠材
４４・・・・枠材
４６・・・・枠材
４８・・・・面部材
５０・・・・浴槽側面部材
５０ａ・・・外側面
５０ｂ・・・内側面
５２・・・・凸状押圧部
５４・・・・凸状押圧部
５４ａ・・・凸状押圧部
５４ｂ・・・凸状押圧部
５４ｃ・・・凸状押圧部
５４ｄ・・・凸状押圧部
６０・・・・磁石
６２・・・・磁石
【図１】
2018000306.tif 000003
【図２】
2018000306.tif 000004
【図３】
2018000306.tif 000005
【図４】
2018000306.tif 000006
【図５】
2018000306.tif 000007
【図６】
2018000306.tif 000008